(57)【要約】【課題】  商品を収納するケースと台紙とを着脱自在とするとともに商品を収納するケースと台紙との一体化を確実に達成する。【解決手段】  商品の収納部と、商品の収納部の一側部側に設けられる第一の差し込み用舌部と、商品の収納部の他側部側の開口に設けられ、開口を覆う蓋部と、蓋部に連接する第二の差し込み用舌部とを備える蓋部材とを有するケースと、板形状の台紙本体と、台紙本体の一側部側に設けられる吊り下げ用孔と、台紙本体に設けられ、ケースの第一の差し込み用舌部を差し込ませる第一の切り込み部と、台紙本体の他側部縁部に起立自在に設けられ、ケースの蓋部材の閉蓋時にケースの他側部側の開口に起立されて開口を封鎖する封鎖部と、封鎖部と台紙本体の他側部縁部との連接部に設けられ蓋部材の第二の差し込み用舌部を差し込ませる第二の切り込み部とを備える係止片とを有する台紙とで構成する。【選択図】    図１
2009226021.tif 000002
【特許請求の範囲】
【請求項１】
商品を収納するケースと、
前記ケースを着脱自在に取り付ける台紙と
を備え、
前記ケースは、
前記商品の収納部と、
前記商品の収納部の一側部側に設けられる第一の差し込み用舌部と、
前記商品の収納部の他側部側の開口に設けられ、前記他側部側の開口を覆う蓋部と、前記蓋部に連接する第二の差し込み用舌部とを備える蓋部材とを有し、
前記台紙は、
板形状の台紙本体と、
前記台紙本体の一側部側に設けられる吊り下げ用孔と、
前記台紙本体に設けられ、前記ケースの第一の差し込み用舌部を差し込ませる係止用の第一の切り込み部と、
前記台紙本体の他側部縁部に起立自在に設けられ、前記ケースの蓋部材の閉蓋時に前記ケースの他側部側の開口に起立されて前記開口を封鎖する封鎖部と、前記封鎖部と前記台紙本体の他側部縁部との連接部に設けられ前記ケースの蓋部材の第二の差し込み用舌部を差し込ませる係止用の第二の切り込み部とを備える係止片とを有する
ことを特徴とする商品陳列ケース。
【請求項２】
請求項１記載の商品陳列ケースにおいて、
前記ケースは、透明なプラスチック材を折りたたんで箱形状に形成されている
ことを特徴とする商品陳列ケース。
【請求項３】
請求項１または請求項２記載の商品陳列ケースにおいて、
前記台紙は、表面側に印刷が施された一枚の板形状の台紙本体を２つ折りにして重合し、折返し部と対向する側縁部を糊付けし、前記台紙本体間に前記第一の差し込み用舌部の差し込みスペースを確保している
ことを特徴とする商品陳列ケース。
【発明の詳細な説明】
【技術分野】
【０００１】
本発明は、商品を包装した状態で陳列することができる商品陳列ケースに関する。
【背景技術】
【０００２】
従来、この種の商品陳列ケースは、例えば、文房具、化粧品、電化製品などを包装した状態でハンガーなどの吊り下げ用の金具に吊り下げられることが知られている（例えば、特許文献１参照）。
通常、商品を凹所内に収納した合成樹脂製の成形体から成る成形シートを台紙に溶着することによって形成されている。
【特許文献１】実公平２−３３４９号公報
【発明の開示】
【発明が解決しようとする課題】
【０００３】
しかしながら、従来の商品陳列ケースでは、商品を凹所内に収納した合成樹脂製の成形体から成る成形シートを台紙に溶着するため、製作が面倒である。また、商品を成形シートから取り出すと、再び成形ケース内に収納することができない。そのため、購買者などが商品を手にとって内容の確認などを行うことができなかった。また、誤って商品を成形シートから取り出すと、この商品陳列ケースは廃棄しなければならなかった。さらに、商品を台紙から分離して包装状態で、例えば陳列ケースやテーブル上に置いて並べることもできないなどの問題があった。
【０００４】
本発明は斯かる従来の問題点を解決するために為されたもので、その目的は、商品を収納するケースと台紙とを着脱自在とするとともに商品を収納するケースと台紙との一体化が確実に行える商品陳列ケースを提供することにある。
【課題を解決するための手段】
【０００５】
請求項１に係る発明は、商品を収納するケースと、前記ケースを着脱自在に取り付ける台紙とを備え、前記ケースは、前記商品の収納部と、前記商品の収納部の一側部側に設けられる第一の差し込み用舌部と、前記商品の収納部の他側部側の開口に設けられ、前記他側部側の開口を覆う蓋部と、前記蓋部に連接する第二の差し込み用舌部とを備える蓋部材とを有し、前記台紙は、板形状の台紙本体と、前記台紙本体の一側部側に設けられる吊り下げ用孔と、前記台紙本体に設けられ、前記ケースの第一の差し込み用舌部を差し込ませる係止用の第一の切り込み部と、前記台紙本体の他側部縁部に起立自在に設けられ、前記ケースの蓋部材の閉蓋時に前記ケースの他側部側の開口に起立されて前記開口を封鎖する封鎖部と、前記封鎖部と前記台紙本体の他側部縁部との連接部に設けられ前記ケースの蓋部材の第二の差し込み用舌部を差し込ませる係止用の第二の切り込み部とを備える係止片とを有する。
【０００６】
請求項２に係る発明は、請求項１記載の商品陳列ケースにおいて、前記ケースは、透明なプラスチック材を折りたたんで箱形状に形成されている。
請求項３に係る発明は、請求項１または請求項２記載の商品陳列ケースにおいて、前記台紙は、表面側に印刷が施された一枚の板形状の台紙本体を２つ折りにして重合し、折返し部と対向する側縁部を糊付けし、前記台紙本体間に前記第一の差し込み用舌部の差し込みスペースを確保している。
【発明の効果】
【０００７】
本発明によれば、商品を収納するケースを台紙に対して取り付けたり取り外したりすることが自在にできる。また、商品を収納するケースを台紙から分離して包装状態で、例えば陳列ケースやテーブル上に置いて並べることができる。さらに、商品を収納するケースを台紙に確実に組み付けることができる。
【発明を実施するための最良の形態】
【０００８】
以下、本発明を図面に示す実施形態に基づいて説明する。
図１〜図１０は、本実施形態に係る商品陳列ケース１を示す。
本実施形態に係る商品陳列ケース１は、商品Ｇを収納する透明なプラスチック材から成るケース１０と、ケース１０を着脱自在に取り付ける台紙２０とを備えている。
ケース１０は、図１〜図６に示すように、透明なプラスチック材から成るケース本体１１を直方体形状に折り畳んで形成される商品Ｇの収納部１２と、商品Ｇの収納部１２の一側部側に設けられる第一の差し込み用舌部１３と、商品Ｇの収納部１２の他側部側の開口１７に設けられ、他側部側の開口１７を覆う蓋部１５と、蓋部１５に連接する第二の差し込み用舌部１６とを備える蓋部材１４とを一体的に有する。
【０００９】
ケース本体１１は、図４に示すように、ケース１０の天板１０ａと、天板１０ａの両側に折り線１０ｄ，１０ｅを介して連接する側板１０ｂ，１０ｃと、側板１０ｂに折り線１０ｆを介して連接するとともに一側部側に第一の差し込み用舌部１３を有する底板１０ｈと、側板１０ｃに折り線１０ｇを介して連接する底板１０ｉと、天板１０ａの一端部側に折り線１０ｊを介して連接する蓋部１０ｋと、蓋部１０ｋに折り線１０ｌを介して連接する舌部１０ｍと、天板１０ａの他端部側に切り込み部１０ｏを挟んで連なる折り線１０ｎを介して連接する蓋部１５と、蓋部１５に折り線１０ｐを介して連接する第二の差し込み用舌部１６と、側板１０ｂの一端部側に折り線１０ｑを介して連接する蓋部１０ｒと、側板１０ｂの他端部側に折り線１０ｓを介して連接する蓋部１０ｔと、側板１０ｃの一端部側に折り線１０ｖを介して連接する蓋部１０ｕと、側板１０ｃの他端部側に折り線１０ｗを介して連接する蓋部１０ｘとを有する。
ケース本体１１は、図５、図６に示すように、組み立てられると、底板１０ｈと底板１０ｉとが重ねられて接着剤によって接合される。また、蓋部１０ｒと蓋部１０ｕとが商品Ｇの収納部１２の一端部側の開口１８を覆う内蓋を形成し、その外側に蓋部１０ｋが重ねられ、舌部１０ｍが底板１０ｈ、１０ｉの重合部に差し込まれて開口１８を封鎖する。さらに、蓋部１０ｔと蓋部１０ｘとは、商品Ｇの収納部１２の他側部側の開口１７を封鎖する際に起立される係止片２４を蓋部１５との間で挟持し、商品Ｇを受け止める封鎖部材として機能する。
【００１０】
台紙２０には、図１〜図３、図７〜図９に示すように、表面側に印刷が施された板形状の台紙本体２１を、中央部に設けた折り線２８を介して２つ折りにして重ね合わせ、折り線２８と対向する側縁部側だけを糊付け２９して残りの裏面が接着していない貼り合わせ物であり、台紙２０をハンガーなどに吊り下げるための吊り下げ用孔２２と、第一の差し込み用舌部１３の横幅とほぼ同等で台紙２０の端部側と平行に設けた切り込み２３ａと、この切り込み２３ａの両端部に連なる切り込み２３ｂ、２３ｃと、切り込み２３ａの中央部に位置する長手方向の切り込み２３ｄとを設け、ケース１０の第一の差し込み用舌部１３を差し込ませる係止用の第一の切り込み部２３と、ケース１０の蓋部材１４の閉蓋時にケース１０の他側部側の開口１７に起立されて開口１７を封鎖する封鎖部２５とケース１０の第二の差し込み用舌部１６を差し込ませる係止用の第二の切り込み部２６とを備える係止片２４とを有する。
【００１１】
台紙本体２１は、図８に示すように、折り線２８を介して表部２１Ａと裏部２１Ｂとを連接し、表部２１Ａには、吊り下げ用孔２２と、第一の切り込み部２３と、封鎖部２５と第二の切り込み部２６とを備える係止片２４とを有する。第二の切り込み部２６は、台紙本体２１の他端部側の縁部に設けられた折り線２７上に形成されている。裏部２１Ｂは、表部２１Ａと重ねられたときに吊り下げ用孔２２同士が連なるように同形状の吊り下げ用孔２２が設けられているが、第一の切り込み部２３と係止片２４とは設けられていない。なお、台紙本体２１は、図８に示すように、展開した状態で表部２１Ａと裏部２１Ｂとを同時に印刷できるので、従来の貼り合わせ材に比べて印刷工程が簡略化されるとともに、台紙品体２１の裏面の印刷を省略することができる。
【００１２】
次に、本実施形態に係る商品陳列ケース１の作用を説明する。
先ず、図５、図６に示すように、開口１７を開いた状態でケース１０内に商品Ｇを挿入する。次いで、蓋部材１４で開口１７を閉じない状態にしておく。
次に、図９（Ａ）に示すように、台紙２０の第一の切り込み部２３にケース１０の第一の差し込み用舌部１３を差し込むことができるように、矢印方向にケース１０を案内する。
次に、図９（Ｂ）に示すように、台紙２０の第一の切り込み部２３にケース１０の第一の差し込み用舌部１３を差し込む。この際、切り込み部２３の切り込み２２ｂ、切り込み２２ｃおよび切り込み２２ｄが台紙２０の裏面側へ押されてケース１０の第一の差し込み用舌部１３の差し込みを助けるとともに、ケース１０の第一の差し込み用舌部１３が切り込み２２ａの幅に規制され、かつ台紙２０の裏部２１Ｂによって進行が助けられ、直進する。そして、ケース１０の第一の差し込み用舌部１３を支点としてケース１０を矢印方向に台紙２０方向に押し付ける。
【００１３】
次に、図９（Ｃ）に示すように、台紙２０の係止片２４を折り線２７を介して起こし、ケース１０の蓋部１０ｔ、１０ｘの後面側に係止片２４を位置させる。次いで、ケース１０の蓋部１５を開口１７に向かって降下し、蓋部１５に連接する第二の差し込み用舌部１６を台紙２０の第二の切り込み部２６に差し込んで、ケース１０の開口１７を蓋部材１４で封鎖する。
斯くして、図１〜図３、図９（Ｄ）に示すように、台紙２０に商品Ｇを収納したケース１０を組み付けることができる。
【００１４】
以上によって、ケース１０は、一端部側が第一の差し込み用舌部１３を台紙２０の台紙２０の第一の切り込み部２３に差し込んで固定され、他端部側が開口１７に起こされた台紙２０の係止片２４を蓋部１５と蓋部１０ｔ、１０ｘとの間に保持するとともに第二の差し込み用舌部１６と第二の切り込み部２６との係合によってロックされた状態とされ、台紙２０から分離できないように固定される。従って、不用意にケース１０を引っ張っても簡単に取り外すことができない。
また、図３に示すように、台紙２０の台紙２０の第一の切り込み部２３に差し込まれたケース１０の第一の差し込み用舌部１３は、台紙２０の裏側に突出することなく、台紙２０の表部２１Ａと裏部２１Ｂとの間に収まっているので、ケース１０の第一の差し込み用舌部１３が他部品や購買者に触れることがなく、見栄えの良い陳列となる。
【００１５】
さらに、ケース１０の開口１７は、開口１７に起こされた台紙２０の係止片２４を蓋部１５と蓋部１０ｔ、１０ｘとの間に保持するとともに第二の差し込み用舌部１６と第二の切り込み部２６との係合によってロックされた状態とされ、台紙２０から分離できないように固定されるので、係止片２４がが他部品や購買者に触れることがなく、見栄えの良い陳列となる。
また、ケース１０の開口１７は、ケース１０の蓋部１０ｔ、１０ｘ、台紙２０の係止片２４および蓋部材１４による三重構造となるため、陳列時に商品Ｇを受け止める底板部として十分に機能することができる。
【００１６】
なお、例えば、図１０に示すように、ケース１０を台紙２０から分離して陳列することは可能である。
なお、上記実施形態では、ケース１０は、商品Ｇを収納できる機能と、台紙２０に差し込みできる機能と、台紙２０に係止できる機能とがあればよく、製法は任意である。
また、台紙２０を表部２１Ａと裏部２１Ｂとを糊付け２９する場合について説明したが、本発明はこれに限らず、例えば、１枚の板材によって構成しても良い。
【図面の簡単な説明】
【００１７】
【図１】本発明の一実施形態に係る商品陳列ケース１を示す斜視図である。
【図２】図１の平面図である。
【図３】図１の背面図である。
【図４】図１に示す商品陳列ケースに用いるケースの展開図である。
【図５】図１に示す商品陳列ケースに用いるケースの斜視図である。
【図６】図１に示す商品陳列ケースに用いるケースの斜視図である。
【図７】図１に示す商品陳列ケースに用いる台紙の平面図である。
【図８】図１に示す商品陳列ケースに用いる台紙の展開図である。
【図９】図１に示す商品陳列ケースの組立手順を示す説明図である。
【図１０】図１に示す商品陳列ケースの別の使用形態を示す斜視図である。
【符号の説明】
【００１８】
１  商品陳列ケース
Ｇ  商品
１０  ケース
１１  ケース本体
１２  商品Ｇを収納部
１３  第一の差し込み用舌部
１４  蓋部材
１５  蓋部
１６  第二の差し込み用舌部
１７、１８  開口
２０  台紙
２１  台紙本体
２２  吊り下げ用孔
２３  第一の切り込み部
２４  係止片
２５  封鎖部
２６  第二の切り込み部
【図１】
2009226021.tif 000003
【図２】
2009226021.tif 000004
【図３】
2009226021.tif 000005
【図４】
2009226021.tif 000006
【図５】
2009226021.tif 000007
【図６】
2009226021.tif 000008
【図７】
2009226021.tif 000009
【図８】
2009226021.tif 000010
【図９】
2009226021.tif 000011
【図１０】
2009226021.tif 000012